(57)【特許請求の範囲】
【請求項１】
互いに対向して固定される第１ケース部材及び第２ケース部材により構成される筐体を有し、当該筐体の前記第１ケース部材及び前記第２ケース部材の対向方向に直交する方向の一端部寄りの位置において、前記対向方向に貫通する第１開口が前記第１ケース部材に形成された電子機器であって、
前記一端部から前記第１開口の方向へ順に、
前記第１ケース部材の一部であって、前記第１ケース部材から前記第２ケース部材の方向へ突出し、前記筐体の前記一端部側の外側面を構成する外周面部と、
前記第２ケース部材の一部であって、前記第２ケース部材から前記第１ケース部材の方向へ突出し、前記外周面部の内側面に当接可能な第１リブと、
前記第１ケース部材の一部であって、前記第１ケース部材から前記第２ケース部材の方向へ突出し、前記第１リブの内側面に当接可能な第２リブと、
前記第１ケース部材と前記第２ケース部材との間に収容され、前記第２リブの内側面に前記第１開口よりも前記一端部側の位置にて当接可能な部品と、
が設けられ、
前記第１リブは、前記対向方向において、前記第１開口の位置まで延びている
電子機器。
【請求項２】
前記第１ケース部材の一部であって、前記第１開口を挟んで前記第２リブと対向し、前記第２リブとの間に前記部品が嵌合される第３リブが設けられている
請求項１に記載の電子機器。
【請求項３】
前記部品は、前記第１開口を音道に含む電気音響変換部品である
請求項１又は２に記載の電子機器。
【請求項４】
前記第１ケース部材の前記第２ケース部材とは反対側の面に固定され、前記第１開口に連通する第２開口が形成されたパネル部材を更に有し、
前記第２リブは、前記第２開口よりも前記一端部側に位置している
請求項１〜３のいずれか１項に記載の電子機器。
【請求項５】
前記第１ケース部材の前記第２ケース部材に対向する対向面部には、前記パネル部材が嵌合する凹部が形成されるように段差が形成されており、
前記第１開口は前記凹部の底部に開口しており、
前記第１リブは前記凹部の外周側且つ前記一端部側に当接可能に設けられている
請求項１〜４のいずれか１項に記載の電子機器。
【発明の詳細な説明】
【技術分野】
【０００１】
本発明は、携帯電話機、デジタルカメラ、ＰＤＡ、ノートパソコン、ゲーム機等の電子機器に関する。
【背景技術】
【０００２】
種々の目的で筐体に開口が形成された電子機器が知られている。例えば、特許文献１の携帯電話機では、通話用のマイクロフォンの収音孔や通話用のスピーカの放音孔が筐体に形成されている。なお、携帯電話機の収音孔や放音孔は、携帯電話機を小型化しつつ収音及び放音を好適に行うために、筐体の端部に設けられている。
【０００３】
また、種々の目的で筐体にリブが形成された電子機器も知られている。例えば、特許文献２の携帯電話機では、互いに対向するフロントケースとリアケースとにより筐体が構成されており、フロントケース及びリアケースには、これらの嵌合を強固にするために、対向方向に突出し、互いに当接するリブが設けられている。
【特許文献１】特開２００１−１１１６５９号公報
【特許文献２】特開２００５−１２７３８号公報
【発明の開示】
【発明が解決しようとする課題】
【０００４】
筐体を落下させたときなど、筐体の端部に衝撃が加えられると、開口の周囲では応力集中が生じることから、開口から割れが発生し易い。このような割れを防止するためには、例えば、開口を筐体の端部から離れた位置に設け、衝撃が開口に到達するまでに衝撃を分散させることが考えられる。しかし、この場合、携帯電話機の通話用の収音孔や放音孔を筐体の端部に設けることができない等、好ましくない設計上の制約が生じる。また、開口と端部との間に電子部品等を配置できないデッドスペースが生じやすい。
【０００５】
本発明の目的は、筐体に形成された開口から筐体の割れが発生することを抑制できる電子機器を提供することにある。
【課題を解決するための手段】
【０００６】
本発明の電子機器は、互いに対向して固定される第１ケース部材及び第２ケース部材により構成される筐体を有し、当該筐体の前記第１ケース部材及び前記第２ケース部材の対向方向に直交する方向の一端部寄りの位置において、前記対向方向に貫通する第１開口が前記第１ケース部材に形成された電子機器であって、前記一端部から前記第１開口の方向へ順に、前記第１ケース部材の一部であって、前記第１ケース部材から前記第２ケース部材の方向へ突出し、前記筐体の前記一端部側の外側面を構成する外周面部と、前記第２ケース部材の一部であって、前記第２ケース部材から前記第１ケース部材の方向へ突出し、前記外周面部の内側面に当接可能な第１リブと、前記第１ケース部材の一部であって、前記第１ケース部材から前記第２ケース部材の方向へ突出し、前記第１リブの内側面に当接可能な第２リブと、前記第１ケース部材と前記第２ケース部材との間に収容され、前記第２リブの内側面に前記第１開口よりも前記一端部側の位置にて当接可能な部品と、が設けられ、前記第１リブは、前記対向方向において、前記第１開口の位置まで延びている。
【０００７】
好適には、前記第１ケース部材の一部であって、前記第１開口を挟んで前記第２リブと対向し、前記第２リブとの間に前記部品が嵌合される第３リブが設けられている。
【０００８】
好適には、前記部品は、前記第１開口を音道に含む電気音響変換部品である。
【００１０】
好適には、前記第１ケース部材の前記第２ケース部材とは反対側の面に固定され、前記第１開口に連通する第２開口が形成されたパネル部材を更に有し、前記第２リブは、前記第２開口よりも前記一端部側に位置している。
【００１１】
好適には、前記第１ケース部材の前記第２ケース部材に対向する対向面部には、前記パネル部材が嵌合する凹部が形成されるように段差が形成されており、前記第１開口は前記凹部の底部に開口しており、前記第１リブは前記凹部の外周側且つ前記一端部側に当接可能に設けられている。
【発明の効果】
【００１２】
本発明によれば、筐体に形成された開口から筐体の割れが発生することを抑制できる。
【発明を実施するための最良の形態】
【００１３】
図１は、本発明の実施形態に係る電子機器としての携帯電話機１の外観を示す斜視図である。
【００１４】
携帯電話機１は、いわゆる折り畳み式の携帯電話機として構成されており、開閉可能に連結された第１筐体３及び第２筐体５を備えている。第１筐体３及び第２筐体５は、連結部７により連結されている。第１筐体３及び第２筐体５は、回転軸ＲＡ回りに相対回転可能である。なお、図１は、開状態を示している。
【００１５】
第１筐体３及び第２筐体５は、携帯電話機１全体の筐体を構成している。第１筐体３及び第２筐体５は、例えば、それぞれ概ね薄型直方体状に形成されており、閉状態では互いに重ねあわされて互いの輪郭が略一致する。
【００１６】
第１筐体３には、例えば、通話用のスピーカ２７（図２参照）の放音孔９、図形や文字情報等を含む画像を表示するメイン表示部１１及びサブ表示部（不図示）、並びに、ユーザの操作を受け付けるサブ操作部１３が設けられている。放音孔９は、第１筐体３のうち、連結部７とは反対側の端部３ｅ寄りに設けられている。また、放音孔９は、閉状態において第２筐体５と対向する対向面部３ａに開口している。メイン表示部１１は、対向面部３ａに画像を表示する。サブ表示部は、対向面部３ａとは反対側の背面部３ｃに画像を表示する。サブ操作部１３は、対向面部３ａに露出し、押し込み操作される複数のキートップ１５を有している。
【００１７】
第２筐体５には、例えば、通話用のマイクロフォン１０１（図５参照）の収音孔１７、ユーザの操作を受け付けるメイン操作部１９が設けられている。収音孔１７は、第２筐体５のうち、閉状態において第１筐体３と対向する対向面部５ａに開口している。メイン操作部１９は、対向面部５ａから露出し、押し込み操作される複数のキートップ２１を有している。
【００１８】
図２は、第１筐体３の分解斜視図である。
第１筐体３においては、対向面部３ａ側（図２の紙面上方側）から、パネル部材２３、フロントケース２５、スピーカ２７、メイン表示装置２９、回路基板３１、サブ表示装置３３、リアケース３５が積層的に（厳密には一部並列に）配置されている。
【００１９】
第１筐体３は、メイン表示部１１の窓部を構成するパネル部材２３と、スピーカ２７等の電子部品を収納する部分を構成するフロントケース２５及びリアケース３５とにより構成されている。第１筐体３の対向面部３ａは、パネル部材２３及びフロントケース２５により構成されている。第１筐体３の側面部３ｂ（図１）は、フロントケース２５及びリアケース３５により構成されている。第１筐体３の背面部３ｃは、リアケース３５により構成されている。パネル部材２３、フロントケース２５及びリアケース３５は、例えば、絶縁性の樹脂により構成されている。
【００２０】
フロントケース２５及びリアケース３５は、例えば、それぞれ、筐体内部側を凹とする箱状に形成されている。すなわち、フロントケース２５は、リアケース３５に対向する対向面部２５ａと、対向面部２５ａの縁部からリアケース３５側に突出し、対向面部２５ａを囲む外周面部２５ｂとを有しており、リアケース３５は、フロントケース２５に対向する対向面部３５ａと、対向面部３５ａの縁部からフロントケース２５側に突出し、対向面部３５ａを囲む外周面部３５ｂとを有している。また、フロントケース２５及びリアケース３５は、積層方向に見た外周の輪郭が概ね同等の大きさ及び形状に形成されている。
【００２１】
フロントケース２５とリアケース３５とは、例えば、一方（例えばフロントケース２５）に挿通された不図示の複数のネジが他方（例えばリアケース３５）に形成された複数のネジボス３５ｄに螺合することにより、互いに固定される。このとき、フロントケース２５の外周面部２５ｂとリアケース３５の外周面部３５ｂとは頂部同士が突き合わされ、フロントケース２５の対向面部２５ａとリアケース３５の対向面部３５ａとの間には、スピーカ２７、メイン表示装置２９、回路基板３１及びサブ表示装置３３等の電子部品を収容する空間が確保される。
【００２２】
スピーカ２７、メイン表示装置２９、回路基板３１及びサブ表示装置３３等の電子部品は、フロントケース２５とリアケース３５とが互いに固定されることにより、フロントケース２５の対向面部２５ａとリアケース３５の対向面部３５ａとにより挟持され、第１筐体３内部に固定される。なお、これらの電子部品の、対向面部２５ａ及び対向面部３５ａに沿う方向の位置決めは、外周面部２５ｂ、外周面部３５ｂ、フロントケース２５及び／又はリアケース３５の筐体内部側に設けられたリブやボス等によりなされる。
【００２３】
パネル部材２３は、概ね板状に構成されている。パネル部材２３は、例えば、透光性の樹脂基板に対して、適宜な位置（例えば外周）に遮光性又は透光性の着色層が形成されることにより構成されている。パネル部材２３は、例えば、フロントケース２５の対向面部２５ａの筐体外側（リアケース３５とは反対側）に形成された凹部２５ｃに嵌合されるとともに、両面テープや接着剤等の接着部材により接着されることにより、フロントケース２５に対して固定される。
【００２４】
スピーカ２７は、筐体２７ａと、筐体２７ａから露出する端子２７ｂ（図３参照）とを有している。また、スピーカ２７は、例えば、ダイナミックスピーカにより構成されており、特に図示しないが、筐体２７ａ内に、永久磁石と、端子に接続された電磁石（コイル）と、永久磁石又は電磁石に固定された振動板とを有している。筐体２７ａは、例えば、概ね直方体状に構成されている。
【００２５】
スピーカ２７は、放音面２７ｄをフロントケース２５の対向面部２５ａの内側面に対向させ、放音面２７ｄとは反対側に設けられた端子２７ｂを回路基板３１に対向させて配置される。スピーカ２７は、フロントケース２５とリアケース３５とが固定されることにより、フロントケース２５と回路基板３１とに挟持される。この際、端子２７ｂは、回路基板３１のフロントケース２５側の実装面に設けられた不図示の端子部に当接する。
【００２６】
フロントケース２５の対向面部２５ａには、スピーカ２７の音道を構成する第１開口３７が形成されている。第１開口３７には、パネル部材２３が被せられるが、パネル部材２３の第１開口３７に重なる位置には、スピーカ２７の音道を構成する第２開口３９が形成されている。第１開口３７及び第２開口３９は連通しており、スピーカ２７の放音孔９を構成している。なお、第１開口３７及び第２開口３９の大きさや形状は適宜に設定されてよいが、図２では、第１開口３７及び第２開口３９が概ね長円又は面取りされた矩形に形成されており、また、第２開口３９が第１開口３７よりも小さい場合を例示している。
【００２７】
メイン表示装置２９は、例えば、液晶表示装置や有機ＥＬ表示装置により構成され、表示面２９ａを構成するパネル２９ｂと、パネル２９ｂから延出するＦＰＣ２９ｃと、パネル２９ｂの背面や外周面を覆う筐体（若しくはホルダ）２９ｄとを有している。メイン表示装置２９は、概ね矩形の板状に構成されている。
【００２８】
メイン表示装置２９は、表示面２９ａをフロントケース２５の対向面部２５ａの内側面に対向させて配置される。メイン表示装置２９は、フロントケース２５とリアケース３５とが固定されることにより、筐体２９ｄがフロントケース２５と回路基板３１とに挟持される。ＦＰＣ２９ｃは、不図示のコネクタ等を介して回路基板３１に対して接続される。
【００２９】
フロントケース２５の対向面部２５ａには、表示面２９ａを露出させるための表示用開口４１が形成されている。表示用開口４１には、パネル部材２３が被せられる。上述のように、パネル部材２３は透光性を有しており、表示面２９ａに表示された画像は、パネル部材２３を介してユーザに視認される。なお、表示用開口４１やパネル部材２３の透光領域の形状及び大きさは適宜に設定されてよい。
【００３０】
回路基板３１は、例えば、可撓性を有しない、いわゆるリジッド基板により構成されている。例えば、回路基板３１は、硬質の樹脂をベースとしたプリント配線基板により構成されている。回路基板３１は、第１筐体３の広さに近い広さを有している。回路基板３１は、フロントケース２５とリアケース３５とが固定されることにより、メイン表示装置２９とリアケース３５とにより挟持される。回路基板３１の実装面には、例えば、キートップ１５により押圧操作される複数のスイッチが設けられている。
【００３１】
サブ表示装置３３は、例えば、液晶表示装置や有機ＥＬ表示装置により構成されている。サブ表示装置３３は、表示面をリアケース３５の内側に対向させて、回路基板３１に形成された開口内に配置される。サブ表示装置３３は、フロントケース２５とリアケース３５とが互いに固定されることにより、メイン表示装置２９とリアケース３５とにより挟持される。サブ表示装置３３の表示面は、リアケース３５に形成された開口及び当該開口を塞ぐ不図示の透光性のパネル部材を介して、第１筐体３の背面部３ｃ側に露出する。
【００３２】
図３は、フロントケース２５の内側面のうち、連結部７とは反対側の一部を、スピーカ２７及びメイン表示装置２９を装着した状態で示す図である。また、図４は、図３のＩＶ−ＩＶ線における断面図である。
【００３３】
図４に示すように、リアケース３５の外周面部３５ｂの頂部には、リアケース３５とフロントケース２５の対向方向であって、リアケース３５からフロントケース２５の方向へ突出する第１リブ３５ｘが設けられている。第１リブ３５ｘは、リアケース３５の対向面部３５ａや外周面部３５ｂと一体形成されている。すなわち、第１リブ３５ｘは、リアケース３５の一部である。
【００３４】
第１リブ３５ｘは、リアケース３５の外周面部３５ｂに沿って延びており、リアケース３５の概ね全周に亘って延びている。また、第１リブ３５ｘは、リアケース３５の外周面部３５ｂの頂部のうち、フロントケース２５の外周面部２５ｂの頂部に対して突き当てられる部分の内周側に設けられている。フロントケース２５とリアケース３５とを固定する際には、第１リブ３５ｘの外周にフロントケース２５の外周面部２５ｂが嵌合する。これにより、フロントケース２５の外周面部２５ｂの頂部とリアケース３５の外周面部３５ｂの頂部との位置ずれが抑制される。
【００３５】
図３及び図４に示すように、フロントケース２５の内側面には、対向面部２５ａからリアケース３５へ突出するリブにより、スピーカ２７を保持するホルダ部が形成されている。ホルダ部のリブは、スピーカ２７を囲むように延びており、連結部７から端部３ｅの方向（図３及び図４の紙面上下方向）において第１開口３７を挟んで対向する第２リブ２５ｘ及び第３リブ２５ｙを含んでいる。
【００３６】
第２リブ２５ｘ及び第３リブ２５ｙは、フロントケース２５の対向面部２５ａや外周面部２５ｂと一体成形されている。すなわち、第２リブ２５ｘ及び第３リブ２５ｙは、フロントケース２５の一部である。スピーカ２７は、第２リブ２５ｘと第３リブ２５ｙとの間に嵌合することにより、連結部７から端部３ｅの方向においてフロントケース２５に対して位置決めされる。
【００３７】
第３リブ２５ｙは、メイン表示装置２９の位置決めにも寄与している。すなわち、フロントケース２５の内側面には、メイン表示装置２９を挟んで第３リブ２５ｙに対向する不図示のリブが設けられており、メイン表示装置２９は、その不図示のリブと第３リブ２５ｙとの間に嵌合することにより、連結部７から端部３ｅの方向においてフロントケース２５に対して位置決めされる。
【００３８】
図４に示すように、第２リブ２５ｘは、リアケース３５の外周面部３５ｂ及び第１リブ３５ｘの内側面に隣接して設けられている。換言すれば、リアケース３５の第１リブ３５ｘは、フロントケース２５の外周面部２５ｂと第２リブ２５ｘとの間（凹部２５ｋ）に嵌合している。
【００３９】
フロントケース２５の対向面部２５ａには、段差が形成されることにより上述のパネル部材２３が嵌合する凹部２５ｃが形成されており、第２リブ２５ｘは、当該凹部２５ｃを形成するための段差に連続して形成されている。そして、フロントケース２５の外周面部２５ｂと第２リブ２５ｘとの間に形成された凹部２５ｋは、第１開口３７が形成されている凹部２５ｃの底部よりもパネル部材２３側（図４の紙面右側）に到達している。また、当該凹部２５ｋに挿入される第１リブ３５ｘは、凹部２５ｃの底部側方まで延びている。
【００４０】
図３に示すように、フロントケース２５の外周面部２５ｂは、端部３ｅ側において、筐体外側が凸となるように湾曲して形成されている。一方、スピーカ２７は矩形状であり、スピーカ２７を保持するための第２リブ２５ｘは直線状である。従って、外周面部２５ｂと第２リブ２５ｘとの間には、電子部品等を配置することができないデッドスペースが生じることになる。第１リブ３５ｘは、このデッドスペースを含む凹部２５ｋに挿入される。
【００４１】
図５は、携帯電話機１の信号処理系の構成を示すブロック図である。
携帯電話機１は、ＣＰＵ８５、メモリ８６、通信処理部８７、音響処理部９１及び画像処理部９３を備えている。これら各部は例えば第２筐体５内に設けられた不図示の回路基板や第１筐体３内の回路基板３１に設けられた不図示のＩＣ等により構成されている。
【００４２】
ＣＰＵ８５及びメモリ８６は、メイン操作部１９やサブ操作部１３等の各種手段からの信号に基づいて所定の演算を行い、画像処理部９３等の各種手段の制御を実行する制御部として機能する。
【００４３】
通信処理部８７は、高周波回路を含んで構成されている。通信処理部８７は、電波を利用した遠距離無線通信を行うために、ＣＰＵ８５で処理された音響データ、画像データ等の各種データを変調して、アンテナ８８を介して送信する。また、通信処理部８７は、アンテナ８８を介して受信した信号を復調してＣＰＵ８５に出力する。
【００４４】
音響処理部９１は、ＣＰＵ８５からの音響データを電気信号に変換して通話用のスピーカ２７、着信等を報知するためのスピーカ９９に出力する。スピーカ２７及びスピーカ９９は、音響処理部９１からの電気信号を音響に変換して出力する。一方、マイクロフォン１０１は、入力された音響を電気信号に変換して音響処理部９１に出力する。音響処理部９１は、マイクロフォン１０１からの電気信号を音響データに変換してＣＰＵ８５に出力する。
【００４５】
画像処理部９３は、ＣＰＵ８５からの画像データを画像信号に変換してメイン表示部１１やサブ表示部へ出力する。また、所定のカメラモジュール９５から出力される撮像信号（画像データ）を所定のフォーマットの画像データに変換してＣＰＵ８５へ出力する。
【００４６】
以上の実施形態によれば、互いに対向して固定されるフロントケース２５及びリアケース３５により構成される第１筐体３を有し、第１筐体３のフロントケース２５及びリアケース３５の対向方向に直交する方向の一端部（端部３ｅ）寄りの位置において、フロントケース２５及びリアケース３５の対向方向に貫通する第１開口３７がフロントケース２５に形成された携帯電話機１では、端部３ｅから第１開口３７の方向へ順に、フロントケース２５の一部であって、フロントケース２５からリアケース３５の方向へ突出し、第１筐体３の端部３ｅを構成する外周面部２５ｂと、リアケース３５の一部であって、リアケース３５からフロントケース２５の方向へ突出し、フロントケース２５の外周面部２５ｂの内側面に当接可能な第１リブ３５ｘと、フロントケース２５の一部であって、フロントケース２５からリアケース３５の方向へ突出し、第１リブ３５ｘの内側面（外周面部２５ｂとは反対側の面）に当接可能な第２リブ２５ｘと、フロントケース２５とリアケース３５との間に収容され、第２リブ２５ｘの内側面（第１リブ３５ｘとは反対側の面）に第１開口３７よりも端部３ｅ側の位置にて当接可能なスピーカ２７とが設けられていることから、図４において矢印ｙ１〜ｙ３で示すように、携帯電話機１の落下等により端部３ｅのフロントケース２５側に加えられた衝撃（矢印ｙ１）は、フロントケース２５、リアケース３５、フロントケース２５の順で伝達される。この間に、衝撃は緩和され、第１開口３７の周囲において生じるフロントケース２５の割れが抑制される。さらに、矢印ｙ３で示すフロントケース２５に伝達された衝撃は、矢印ｙ４で示すように、その一部が第２リブ２５ｘを介してスピーカ２７に伝達されることになり、第１開口３７の周囲に伝達される衝撃が低減され、フロントケース２５の割れが一層抑制される。
【００４７】
携帯電話機１では、フロントケース２５の一部であって、第１開口３７を挟んで第２リブ２５ｘと対向し、第２リブ２５ｘとの間にスピーカ２７が嵌合される第３リブ２５ｙが設けられていることから、スピーカ２７は、衝撃による第１開口３７の縮径を抑制するスペーサとして機能する。従って、矢印ｙ１で示す衝撃により第１開口３７からフロントケース２５の割れが生じることが一層抑制される。
【００４８】
第２リブ２５ｘに当接する部品は、第１開口３７を音道に含むスピーカ２７であることから、第１開口３７を利用する部品により第１開口３７からフロントケース２５に割れが生じることが防止されることになり、部品点数の増加がなく、また、第１筐体３の小型化が図られる。
【００４９】
第１リブ３５ｘは、フロントケース２５及びリアケース３５の対向方向において、第１開口３７の位置まで延びていることから、対向方向に直交する方向において第１開口３７に向かう衝撃を確実に第１リブ３５ｘにより緩和することができる。
【００５０】
携帯電話機１は、フロントケース２５のリアケース３５とは反対側の面に固定され、第１開口３７に連通する第２開口３９が形成されたパネル部材２３を更に有し、第２リブ２５ｘは、第２開口３９よりも端部３ｅ側に位置していることから、端部３ｅから第２開口３９の周囲へ伝達される衝撃（矢印ｙ５）も、第１開口３７の周囲へ伝達される衝撃と同様に、第１リブ３５ｘや第２リブ２５ｘ等により低減され、パネル部材２３の割れも防止される。なお、パネル部材２３は、フロントケース２５よりも割れやすい傾向にある。これは、パネル部材２３がフロントケース２５よりも脆性破壊が生じやすい材質で形成されることがあること、第２開口３９が第１開口３７よりも小さく設定され、応力集中が生じやすいことが原因と考えられるが、このようなパネル部材２３の割れが効果的に抑制され、ひいては、第１筐体３全体の衝撃に対する強度が向上する。
【００５１】
フロントケース２５のリアケース３５に対向する対向面部２５ａには、パネル部材２３が嵌合する凹部２５ｃが形成されるように段差が形成されており、第１開口３７は凹部２５ｃの底部に開口しており、第１リブ３５ｘは凹部２５ｃの外周側且つ端部３ｅ側に当接可能に設けられていることから、対向方向に直交する方向において、第１開口３７及び第２開口３９に向かう衝撃を確実に緩和することができる。
【００５２】
なお、携帯電話機１では、第１筐体３に対して外部から矢印ｙ１で示すような荷重が加えられていない状態において、フロントケース２５の外周面部２５ｂの内側面に第１リブ３５ｘが当接し、第１リブ３５ｘの内側面に第２リブ２５ｘが当接し、第２リブ２５ｘの内側面にスピーカ２７が当接し、スピーカ２７に第３リブ２５ｙが当接し、且つ、これらの接触圧が０となることが好ましい。しかし、実際には、フロントケース２５、リアケース３５、スピーカ２７には公差が生じるから、一部において当接していない部分が生じ得る。この場合であっても、例えば、携帯電話機１を２ｍ程度の高さから落下させて矢印ｙ１で示すような荷重を受けたとき等において、各部の弾性変形により各部が当接すれば、上述の衝撃を緩和する効果が得られる。すなわち、フロントケース２５の外周面部２５ｂ、第１リブ３５ｘ、第２リブ２５ｘ、スピーカ２７、第３リブ２５ｙは、荷重が加えられていない状態において当接していなくても、荷重が加えられたときに弾性変形により当接可能であればよい。
【００５３】
なお、以上の実施形態において、携帯電話機１は本発明の電子機器の一例であり、第１筐体３は本発明の筐体の一例であり、フロントケース２５は本発明の第１ケース部材の一例であり、リアケース３５は本発明の第２ケース部材の一例であり、端部３ｅは本発明の筐体の、第１ケース部材及び第２ケース部材の対向方向に直交する方向の一端部の一例であり、放音孔９は本発明の音道の一例であり、スピーカ２７は本発明の電気音響変換部品の一例である。
【００５４】
本発明は、以上の実施形態に限定されず、種々の態様で実施されてよい。
【００５５】
電子機器は、携帯電話機に限定されない。例えば、デジタルカメラ、ＰＤＡ、ノートパソコン、ゲーム機等の携帯電子機器であってもよいし、プリンタ、テレビ等の据え付けの電子機器であってもよい。
【００５６】
筐体は、開閉可能に構成された２以上の筐体の一つの筐体に限定されず、例えば、電子機器の筐体全体を構成するものであってもよいし、３以上の筐体を有する電子機器の一つの筐体であってもよい。パネル部材は本発明の必須の要件ではなく、第１ケース部材及び第２ケース部材のみにより筐体が構成されてもよいし、逆に、他の部材を含んで筐体が構成されてもよい。
【００５７】
第１開口及び第２開口は、音道を構成するものに限定されない。例えば、カメラやフラッシュの光道を構成するものであってもよいし、操作キーを露出させるためのものであってもよい。部品は、電気音響変換部品等の電子部品のように動作するものに限定されず、単なる部材であってもよい。電気音響変換部品は、スピーカに限定されず、例えば、マイクロフォンであってもよい。
【００５８】
第１ケース部材及び第２ケース部材の対向方向における、第１ケース部材の外周面部、第１リブ、第２リブ及び第２リブに当接可能な部品と、第１開口及び第２開口との位置関係は適宜に設定されてよく、第１リブが第１開口側方まで延びる位置関係に限定されない。
【図面の簡単な説明】
【００５９】
【図１】本発明の実施形態の携帯電話機の外観を示す斜視図。
【図２】図１の携帯電話機の第１筐体の分解斜視図。
【図３】図２の第２筐体の内部の一部を示す図。
【図４】図３のＩＶ−ＩＶ線における断面図。
【図５】図１の携帯電話機の信号処理系の構成を示すブロック図。
【符号の説明】
【００６０】
１…携帯電話機（電子機器）、３…第１筐体、３ｅ…端部（一端部）、９…放音孔、２３…パネル部材、２５…フロントケース、２５ｂ…外周面部、２５ｃ…凹部、２５ｘ…第２リブ、２５ｙ…第３リブ、２７…スピーカ（部品、電気音響変換部品）、３５…リアケース、３５ｘ…第１リブ、３７…第１開口、３９…第２開口。
【図１】
0005031478.tif 000002
【図２】
0005031478.tif 000003
【図３】
0005031478.tif 000004
【図４】
0005031478.tif 000005
【図５】
0005031478.tif 000006